(57)【要約】【課題】  発表用の表示内容に対して直感的に手書き入力を行え、手書き入力内容の消去操作を不要として、講演者等の手間を減らし、聴衆、観衆に対して発表内容をアピールしやすくする。【解決手段】  予め作成したプレゼンテーション用のコンテンツに対して、プレゼンテーションの途中で手書きによって画像を重畳あるいは合成可能なソフトウェアをコンピュータ１内にインストールしておくことにより、簡単に手書きを加えたプレゼンテーションを可能にする。タイマ１３の設定によって、設定時間（例えば１秒〜８秒）の経過後に、重畳あるいは合成された手書き画像がプレゼンテーション用のコンテンツの画像から自動的に消える。手書き画像の消去には、別途のボタン操作、キー操作等は不要である。【選択図】        図２
2007080005.tif 000002
【特許請求の範囲】
【請求項１】
表示手段の表示内容に重畳または合成して、線図、文字等の手書き内容を入力、表示させる制御手段を有する手書き入力表示装置において、前記制御手段は、前記手書き動作終了後予め定めた時間の経過後に前記手書き内容の前記表示手段の表示内容への重畳または合成を解除して該手書き内容を非表示とすることを特徴とする手書き入力表示装置。
【請求項２】
表示手段と、手書き入力手段と、制御装置とからなり、前記制御手段が、前記示手段の表示内容に重畳または合成して、線図、文字等の手書き内容を入力、表示させる手書き入力表示装置において、前記手書き動作終了後、予め定めた時間の経過後に、前記表示手段の表示内容への前記手書き内容の重畳または合成を解除して該手書き内容を非表示とすることを特徴とする手書き入力表示装置。
【請求項３】
表示装置と、手書き入力手段と、制御装置とからなり、前記手書き入力手段を前記表示装置の表示部上に配置または配置可能としてなり、前記手書き入力手段が入力にペン状物を用いるものであり、前記手書き入力手段上における前記ペン状物の接触位置の座標軌跡に基づき、前記表示装置に手書き表示を表示可能であり、前記ペン状物が前記手書き入力手段から非接触状態になると、前記制御装置は、所定時間経過後に前記手書き表示を非表示にすることを特徴とする手書き入力表示装置。
【請求項４】
請求項１から３のいずれかの手書き表示装置において、前記所定時間を可変としたことを特徴とする手書き入力表示装置。
【請求項５】
表示手段の表示内容に重畳または合成して、線図、文字等の手書き内容を入力、表示させる手書き入力表示プログラムにおいて、前記手書き動作終了後予め定めた時間の経過後に前記手書き内容の前記表示手段の表示内容への重畳または合成を解除して該手書き内容を非表示とすることを特徴とする手書き入力表示プログラム。
【請求項６】
請求項５の手書き表示プログラムにおいて、前記所定時間を可変としたことを特徴とする手書き入力表示プログラム。
【請求項７】
請求項５または６に記載の手書き入力表示プログラムを格納してなることを特徴とする記録媒体。
【発明の詳細な説明】
【技術分野】
【０００１】
本発明は、会議などでスクリーンや大画面モニタなどに表示する画像に、発表者、講演者、操作者等が手元の装置で手書きした画像を重ね、かつこのデータを表示するのに用い得る手書き入力表示装置、手書き入力表示プログラム、これを記録した記録媒体に関し、特に手書き内容の消去に改良を施したものに関する。
【背景技術】
【０００２】
研究発表や講演等の際に聴衆、観衆にコンピュータ制御による表示手段の表示画面を見せつつ発表を行う（本明細書において、プレゼンテーションという。）がよくなされる。このようなプレゼンテーションでは、発表者が表示画面のうちで特に見て欲しい部分や説明したい部分を指し示すために、棒状の物で表示内容の一部を聴衆、観衆に対して指摘することがある。
【０００３】
表示にプロジェクターを用いる場合には、レーザーポインタ等と称するポインタ機器を用い、スクリーン上の一点に点状の光を照射して説明しようとする箇所を指示することがある。
【０００４】
ところで近年、例えばMicrosoft社のPowerPoint（登録商標）等を用い、ＰＣ内に記憶させてある画像ファイルの複数の表示画面を順次あるいはランダムに切り替えつつ、聴衆、観衆に見せながら行うプレゼンテーションが増えてきている。また表示内容に対し、発表者がマウスやデジタイザーあるいはタブレットといった座標入力手段にて、説明したい内容、書ききれなかった内容などを追加的に記入し、あるいは内容を変更、削除しながら説明する場合が非常に多くなってきている。
【特許文献１】特開平６−１７５７７６号公報
【特許文献２】特開２００１−１１７６８５号公報
【特許文献３】特開平６−１１０４２４号公報
【発明の開示】
【発明が解決しようとする課題】
【０００５】
しかしながら、例えば学会発表において、限られた時間内に多くの表示画面を見せつつ、しかも書き込みなどを行おうとすると、表示画面を切り替える際に書き込んだ内容を消す操作に手間が掛かり、その無駄時間によって、十分かつ満足できるプレゼンテーションを行えないことが多くなるという問題が出てきている。
【０００６】
本発明はそのような問題点を解決すべくなしたもので、発表者や講演者がレーザーポインタと同じような感覚で書き込みなどを直感的にあるいは直截的に行えるだけでなく、手書き入力デバイスも限定されず、しかも手書き入力内容の消去操作が不要で、聴衆、観衆に対して強く発表内容を意識させ得る装置とプログラム、及びこれを格納した媒体を提供することを目的としている。
【課題を解決するための手段】
【０００７】
本発明の請求項１に係る手書き入力表示装置は表示手段の表示内容に重畳または合成して、線図、文字等の手書き内容を入力、表示させる制御手段を有する手書き入力表示装置において、前記制御手段は、前記手書き動作終了後予め定めた時間の経過後に前記手書き内容の前記表示手段の表示内容への重畳または合成を解除して該手書き内容を非表示とすることを特徴とする。
【０００８】
同請求項２に係るものは、表示手段と、手書き入力手段と、制御装置とからなり、前記制御手段が、前記示手段の表示内容に重畳または合成して、線図、文字等の手書き内容を入力、表示させる手書き入力表示装置において、前記手書き動作終了後、予め定めた時間の経過後に、前記表示手段の表示内容への前記手書き内容の重畳または合成を解除して該手書き内容を非表示とすることを特徴とする。
【０００９】
同請求項３に係るものは、表示装置と、手書き入力手段と、制御装置とからなり、前記手書き入力手段を前記表示装置の表示部上に配置または配置可能としてなり、前記手書き入力手段が入力にペン状物を用いるものであり、前記手書き入力手段上における前記ペン状物の接触位置の座標軌跡に基づき、前記表示装置に手書き表示を表示可能であり、前記ペン状物が前記手書き入力手段から非接触状態になると、前記制御装置は、所定時間経過後に前記手書き表示を非表示にすることを特徴とする。
【００１０】
同請求項４に係るものは、請求項１から３のいずれかの手書き表示装置において、前記所定時間を可変としたことを特徴とする。
【００１１】
本発明の請求項５に係る手書き入力表示プログラムは、表示手段の表示内容に重畳または合成して、線図、文字等の手書き内容を入力、表示させる手書き入力表示プログラムにおいて、前記手書き動作終了後予め定めた時間の経過後に前記手書き内容の前記表示手段の表示内容への重畳または合成を解除して該手書き内容を非表示とすることを特徴とする。
【００１２】
同請求項６に係るものは、請求項５の手書き表示プログラムにおいて、前記所定時間を可変としたことを特徴とする。
【００１３】
本発明の請求項７に係る記録媒体は、請求項５または６に記載の手書き入力表示プログラムを格納してなることを特徴とする。
【発明の効果】
【００１４】
本発明によれば、予め準備してあった発表用の表示内容に対して直感的にあるいは直截的に書き込みを行え、書き込みのための手書き入力デバイスも種々使用でき、また手書き入力内容の消去操作が不要であるため、講演者等の手間が減少し、その分、聴衆、観衆に対して強く発表内容をアピールすることが可能となる。
【発明を実施するための最良の形態】
【００１５】
以下本発明を実施するための最良の形態を、図に示す実施例を参照して説明する。
【実施例１】
【００１６】
図１は本発明の第１実施例のシステム構成を示す概念図である。本実施例装置は概略的にはコンピュータ１、それに対する入力装置としての座標入力手段２、及び出力装置としての表示手段３から構成してある。
【００１７】
コンピュータ１は特殊なものである必要はなく、後述する本発明に係るプログラムを実行可能な物であればよい。また図示の例では、いわゆるノートパソコンタイプとして描いてあるが、これに限定される物でもない。
【００１８】
座標入力手段２は、いわゆる手書き入力が可能なボード、シート等々種々公知のデバイス（以下、入力ボードという。）４とペン等の入力デバイス５からなるもの等を採用できる。入力ボード４としては、いわゆる座標入力検知が可能なマトリックスタッチパネル等が適する。また図示の実施例では、コンピュータ１のモニタ６に重ねる形態で使用するので、入力ボード４は、透明で、モニタ６の表示内容を外部から視認できるものであることが好ましい。さらに図示の例では、入力デバイス５の動きを検知、認識するためのセンサ７をモニタ６の脇部分に取り付けてある。これについても、例えばＵＳＢケーブルその他の適宜な接続形態でコンピュータ１に接続できるものが公知であるので、それを採用すればよい。
【００１９】
また出力装置としての表示手段３は、いわゆるプロジェクタ用のスクリーン、大画面の液晶表示装置等々、これも種々公知のものを採用できる。なお図示の例では、コンピュータ１から表示手段３へ信号線のようなもので接続してあるが、プロジェクタ用のスクリーンを用いる場合などにあっては、これはコンピュータ１に接続したプロジェクタと、それから射出される光線ということになる。したがって図示のような線状の接続形態には限定されない。
【００２０】
図２は、本実施例の機能ブロック図である。コンピュータ１は、映像信号供給手段８と、画像合成出力手段９とを内蔵するとともに、手書き表示画像形成部１０を、ソフトウェア及びハードウェアの相補的機能部分としても内蔵している。
【００２１】
手書き表示画像形成部１０は、座標入力手段２からの入力、すなわち入力ボード４上における入力デバイス５の動きについての座標軌跡を検出する座標軌跡検出部１１、同じく入力ボード４に対する入力デバイス５の接離状態（少なくとも離隔時間）を検出する接離状態検出部１２、さらに後述する制御用の時間を設定するタイマ１３、そして画像合成出力手段９に対して手書き表示画像を出力するための手書き表示画像出力部１４を備えている。
【００２２】
すなわち本実施例では、例えばMicrosoft社のPowerPoint（登録商標）等を用いて作成し、コンピュータ１に格納しておいたプレゼンテーション用のコンテンツに対して、プレゼンテーション中に手書きによって手書き画像を重畳あるいは合成可能なソフトウェアをコンピュータ１内にインストールしておくことにより、簡単に手書きを加えたプレゼンテーションを可能にするとともに、タイマ１３の設定（例えば１秒〜８秒）によって、設定時間の経過後に、重畳あるいは合成された手書き画像がプレゼンテーション用のコンテンツの画像から自動的に消えるようになっているのである。手書き画像の消去には、別途のボタン操作、キー操作等は不要であり、タイマの設定による。
【００２３】
例えば、図３に示すようなプレゼンテーションの画面に、手書きで図中Ａ、Ｂで示す内容を書き加えた場合、すなわち聴衆に強調指摘したい箇所がプレゼンテーションの同一画面上に複数ある場合、従来であれば例えば図中Ａで示す手書きを何らかの別途の操作により消去してから図中Ｂの手書きをする必要があったが、本実施例では図中Ａの手書き後ペンを画面から離せば予め定めた時間の経過とともにＡは自動的に消える。そのため、演者は操作感を意識することなく、次の図中Ｂの手書きが可能になり、講演に集中できる。講演者は単に次のプレゼンテーションの画面に切り替える操作を行えばよい。したがって、タイマ１３の設定を何秒とするかは、講演者が自らの癖などを考慮して適宜に定めればよい。仮に同一画面上に同時にＡ、Ｂを手書きしたい場合は、図中Ａを手書き後にペン先を画面に接触状態のまま保ってそのまま図中Ｂを手書きすることになるが、それについても、ペン先を離してから手書き内容が消えるまでの時間の設定を適当な時間にしておけば、Ａを記入した後に、いったんペン先を離し、それからＢを記入したとしても、可能になる。また、まだ必要なうちに手書き入力が消えてしまったとしても、再度書き入れれば済むことである。そのほうが、かえって聴衆にアピールできることも考えられる。
【００２４】
なお図３では入力ボード４としてマトリックスパネルを用いているが、本発明はこれに限定されず、種々の入力パネル、ボード、シート等を使用できる。
【実施例２】
【００２５】
図４は本発明の第２実施例のシステム構成を示す概念図である。本実施例装置は、コンピュータ１に対する入力装置としての座標入力手段としてタブレット２ａと専用ペン５ａを用い、これをＵＳＢケーブル１５によってコンピュータ１に接続することにより、コンピュータ１から離して設置した例である。先の実施例でも同様であるが、この実施例でも出力装置としての表示手段３を用いるか否かは自由である。
【実施例３】
【００２６】
図５は本発明の第３実施例のシステム構成を示す概念図である。本実施例装置は、コンピュータ１に対する入力装置としての座標入力手段として液晶タブレット２ｂと専用ペン５ｂを用い、これをＵＳＢケーブル１５と映像ケーブル１６を用いてコンピュータ１に接続することにより、コンピュータ１から離して設置した例である。先の実施例でも同様であるが、この実施例でも出力装置としての表示手段３を用いるか否かは自由である。またなお、液晶タブレット２ｂにプレゼンテーションデータの”進む”、”戻る”を割り当て得るボタン１７、１８を備えている。このばあい、コンピュータ１を液晶タブレット２ｂから離れた場所に設置することも可能になる。
【産業上の利用可能性】
【００２７】
なお図示は省略するが、上述した機能を含むプログラムは、はじめからコンピュータが備えるＲＯＭあるいはＨＤＤ等の記憶手段に格納しておいてもよいが、記録媒体であるＣＤ−ＲＯＭあるいはフレキシブルディスク、ＤＶＤディスク、ＲＡＭＥ、ＥＰＲＯＭ、メモリカード等の不揮発性記録媒体（メモリ）に記録して提供することもできる。そのメモリに記録されたプログラムをコンピュータにインストールしてＣＰＵに実行させるか、ＣＰＵにそのメモリからこのプログラムを読み出して実行させることにより、上述した各手順を実行させることができる。さらに、ネットワークに接続され、プログラムを記録した記録媒体を備える外部機器あるいはプログラムを記憶手段に記憶した外部機器からダウンロードして実行させることも可能である。
【図面の簡単な説明】
【００２８】
【図１】本発明の第１実施例のシステム構成を示す概念図
【図２】本発明の第１実施例の機能ブロック図
【図３】本発明の第１実施例のプレゼンテーションの画面例を示す図
【図４】本発明の第２実施例のシステム構成を示す概念図
【図５】本発明の第３実施例のシステム構成を示す概念図
【符号の説明】
【００２９】
１  コンピュータ
２  座標入力手段
２ａ  タブレット
２ｂ  液晶タブレット
３  表示手段
４  入力ボード
５  入力デバイス
５ａ、５ｂ  専用ペン
６  モニタ
７  センサ
８  映像信号供給手段
９  画像合成出力手段
１０  手書き表示画像形成部
１１  座標軌跡検出部
１２  接離状態検出部
１３  タイマ
１４  手書き表示画像出力部
１５  ＵＳＢケーブル
１６  映像ケーブル
１７、１８  ボタン
Ａ、Ｂ  手書き加えた画像
【図１】
2007080005.tif 000003
【図２】
2007080005.tif 000004
【図３】
2007080005.tif 000005
【図４】
2007080005.tif 000006
【図５】
2007080005.tif 000007